(57)【要約】      （修正有）【課題】組合せが便利なＬＥＤライトを提供する。【解決手段】電子制御基板１及び複数のＬＥＤ集合ユニット２を備え、電子制御基板には、電子制御回路及び複数の差込孔１１が設けられており、ＬＥＤ集合ユニット２は電子基板２１に設けられ、電子基板には複数のＬＥＤ２２が設けられる一方、電子基板の片側に設けられた電子制御基板につながる端子２３によって、ＬＥＤ集合ユニット２を差し込んで、こうして組合せされた電子制御基板１及びＬＥＤ集合ユニット２を異なった形態のライトカバー内に取り付けて、ＬＥＤライトを構成する。電子制御基板１によって、複数のＬＥＤを点灯させ、照明機能を持たせると同時に、照明度に応じてＬＥＤ集合ユニット２又はＬＥＤの個数を増減して、照明度を調整することができる。【選択図】図１
0003139851.tif 000002
【実用新案登録請求の範囲】
【請求項１】
電子制御基板と複数のＬＥＤ集合ユニットとを含むＬＥＤライトであって、前記電子制御基板には、電子制御回路、及び前記電子制御回路につながる複数の差込孔が設けられ、前記複数のＬＥＤ集合ユニットには、電子基板が設けられ、前記電子基板には複数のＬＥＤが設けられるとともに、前記電子基板の片側には、前記電子制御基板の差込孔に差し込める端子が設けられ、
前記電子制御基板と前記複数のＬＥＤ集合ユニットの組合せを、異なった形態のライトカバー内に取り付けるとともに、ＬＥＤライトを構成することで、前記ＬＥＤライトを一般の電気スタンドに装着してから、前記電子制御基板によってＬＥＤが点灯し、照明の効果が生じると同時にＬＥＤライトの組合せがより便利になることを特徴とする、ＬＥＤライト。
【請求項２】
前記複数のＬＥＤ集合ユニットの電子基板は、斜め方向に折り曲げられることによって、前記電子制御基板に差し込まれて、下方に向けて逐次に縮小していく錐状になり、異なった形状のライトカバーに取り付けられることを特徴とする、請求項１に記載のＬＥＤライト。
【請求項３】
前記電子制御基板は、変圧・整流及び電圧調整の電子回路を備えることで、規格電圧を変圧した後に、ＬＥＤの点灯を駆動するとともに、前記電圧調整電子回路によって前記駆動電圧を安定させるように構成されたことを特徴とする、請求項１に記載のＬＥＤライト。  
【考案の詳細な説明】
【技術分野】
【０００１】
本考案はＬＥＤライトに係り、特に組み合わせが便利で、照明度に応じて組合せ部品の数を増減することができるＬＥＤライトの構造に関する。  
【背景技術】
【０００２】
従来の電灯は電力が掛かり、省エネルギーのニーズに適合しない。現在では、省エネルギーのために従来の照明器具のかわりにＬＥＤの照明技術を発展させようとしているが、いまのＬＥＤライトは通常、効率が上げられ照明度は向上されているが、熱の放散はうまく行わず、組み合わせも簡単にできず、照明度の必要に応じてＬＥＤの数が増減できないため、ＬＥＤライトのコストはなかなか削減できない。それに鑑み、本考案者は当該関連業務に携わる長年の経験を持って、研究開発や実験を重ねて、改良して、ＬＥＤライトの集合組合をより便利に作り、照明度の必要に応じてＬＥＤ部品が増減できるＬＥＤライトを遂に完成した。  
【考案の開示】
【考案が解決しようとする課題】
【０００３】
本考案の主要目的はＬＥＤライトの組合構造を提供し、ＬＥＤライトの集合組合をより便利に作り、照明度の必要に応じてＬＥＤ部品を増減することができて、ＬＥＤライトのコストダウン及び熱の放散を促すことである。
【課題を解決するための手段】
【０００４】
前記ＬＥＤライト組合構造は、電子制御基板及び複数のＬＥＤ集合ユニットが設けられており、前記電子制御基板は、電子制御回路が設けられ、電子制御回路につながる複数の差込孔が設けられており、前記ＬＥＤ集合ユニットは電子基板に設けられ、前記電子基板は複数のＬＥＤが設けられており、そして、電子基板の片側に設けられた電子制御基板につながる端子によって、ＬＥＤ集合ユニットを差し込んで、組合後の電子制御基板及びＬＥＤ集合ユニットを異なった形態のライトカバー内又は長いライト管内に設けて、ＬＥＤライト器具を構成するようにし、複数のＬＥＤ点灯に対する電子制御基板によって、照明機能を持たせるようにすると同時に、照明度の必要によりＬＥＤ集合ユニット又はＬＥＤの数量を増減して、照明度の効果を調整することができ、ＬＥＤライトの組み合わせにも便利なＬＥＤライト組合構造である。
【０００５】
前記ＬＥＤライト組合構造は、熱の放散がうまくいかず、高熱が生じる高力率の単一ＬＥＤの代わりに、低力率の複数のＬＥＤ組合により照明度が向上されるようになっている。
【０００６】
前記電子制御基板は、変圧・整流及び電圧調整の電子回路が設けられることにより、主電圧が変圧されてから、ＬＥＤの点灯を駆動させるようにし、電圧調整電子回路によって前記駆動電圧を安定させるようにすることを特徴とする前記ＬＥＤライト組合構造である。  
【考案を実施するための最良の形態】
【０００７】
本考案が有する新規性、進歩性、特徴、目的と効果は、図面を添付した次の詳細説明によって更に理解を深めることができる。
【０００８】
図１乃至図３に示すように、本考案では電子制御基板１及び複数のＬＥＤ集合ユニット２が設けられており、前記電子制御基板１には、電子制御回路及び電子制御回路につながる複数の差込孔１１が設けられている。本実施例では、前記電子制御基板１は丸いシート状に設けられており、前記電子制御基板１には、八角状に並べられた複数の差込孔１１が設けられる。前記ＬＥＤ集合ユニット２には電子基板２１が設けられており、前記電子基板２１には複数のＬＥＤ２２が設けられる。電子基板２１の片側には電子制御基板１の差込孔１１につながる端子２３が設けられており、それによって複数のＬＥＤ集合ユニット２が端子２３によって電子制御基板１の差込孔１１に差し込まれるようになり、図示した実施例のように、前記ＬＥＤ集合ユニット２は八角状に並べられている。
【０００９】
前記部品の組み合わせにより、前記組合後の電子制御基板１及びＬＥＤ集合ユニット２は、異なった形態のライトカバー３内に設けられ、そして、前記電子制御基板１をライトカバー３のジャック３１につなげ、ＬＥＤライト器具を構成して、それによって、ＬＥＤライト器具は、一般の電気スタンドに設置後、ジャック３１を通して規格電圧（交流電圧）が導入され、電子制御基板１によってＬＥＤ２２が点灯し、従来の電灯の代わりに照明の効果が生ずると同時に、ＬＥＤライトの組み合わせもより便利になるのである。  
【００１０】
本考案の前記ＬＥＤライト器具は、照明度の必要に応じて、ＬＥＤ集合ユニット２又はＬＥＤ２２の数を調整することによって、組合せのコストダウン、高力率ＬＥＤの個別電力消費低減、及び熱の放散改善につながることができることであり、そして、前記電子制御基板１の電子制御回路は、変圧及び電圧調整の電子回路が設けられることにより、規格電圧(又は主電圧)が変圧されてから、交流電を直流電に変えてＬＥＤ２２の点灯を駆動させるようにし、電圧調整電子回路によって前記駆動電圧を安定させるようにするのである。
【００１１】
図４に示すように、本考案のＬＥＤライト器具では、前記ＬＥＤ集合ユニット２の電子基板２１は針状の曲がりに設けることによって、複数のＬＥＤ集合ユニット２は電子制御基板１に差し込まれて次第に小さくなる錐状になり、異なった形状のライトカバー４に設けられるようになり、そして、ジャック４１を通して主電圧が導入され、ＬＥＤ２２が点灯し、従来の電灯の代わりに照明として使われ、ＬＥＤライト器具の実用価値が向上されるほかに、照明度の必要に応じて、ＬＥＤ集合ユニット２又はＬＥＤ２２の数を調整して、組合せのコストダウン、低力率ＬＥＤ２２の使用による電力消費低減及び熱の放散改善につながり、省エネルギーと環境保護の目的を果たすことができる。  
【００１２】
図５に示すように、本考案のＬＥＤライト器具では、前記ＬＥＤ集合ユニット２の電子基板２１は、長い棒状に設けることによって、複数のＬＥＤ集合ユニット２の両側がそれぞれ円形の電子基板１につなげられ、組み合わせのＬＥＤ集合ユニット２及び電子制御基板１が長くて丸い管状のライト管５に設けられて、蛍光灯のようなＬＥＤライトが一般の蛍光灯スタンドに設けられるようになり、従来の蛍光灯の代わりに照明として使われており、そして同様に照明度の必要に応じて、ＬＥＤ集合ユニット２又はＬＥＤ２２の数を調整して、組合せのコストダウン、低力率ＬＥＤ２２の使用による電力消費低減及び熱の放散改善につながることができる。
【００１３】
本考案の組み合わせたＬＥＤ集合ユニット２及び電子制御基板１がライトカバー内又はライト管内に設けられたとき、前記ライト管又はライトカバーは、光線反射の設置又は反射光線の塗布層により、光源を反射、集中することによって、電灯の照明度を向上することができ、そして、ライトカバー又はライト管に熱放散孔を設置し、又は惰性エアを充填することによって熱放散の効果を向上することができるのである。  
【００１４】
上述は、本考案におけるＬＥＤが並べてあるＬＥＤ集合ユニット、及びＬＥＤ集合ユニットが差し込まれるための電子制御基板が設けられるＬＥＤライト器具の改良構造であり、それによって、ＬＥＤライトの組み合わせはより便利になり、照明度の必要によりＬＥＤ集合ユニット又はＬＥＤの数を調整して、ＬＥＤライトのコストダウン、低力率のＬＥＤ２２の使用により電力消費低減及び熱放散促進につながる、実用性及びオリジナルがある設計であるため、実用新案登録出願を行うのである。
【図面の簡単な説明】
【００１５】
【図１】考案の立体分解図
【図２】本考案に係るＬＥＤライトをライトカバーに取り付けた場合の立体図
【図３】本考案に係るＬＥＤライトをライトカバーに取り付けた場合の立体図の断面図
【図４】本考案に係るＬＥＤライトをライトカバーに取り付けた場合のもう一つの立体図
【図５】本考案に係るＬＥＤライトを長いライト管に取り付けた場合の立体図
【符号の説明】
【００１６】
１        電子制御基板
１１      差込孔
２        ＬＥＤ集合ユニット
２１      電子基板
２２      ＬＥＤ
２３      端子
３        ライトカバー
３１      ジャック
４        ライトカバー
４１      ジャック
５        ライト管
【図１】
0003139851.tif 000003
【図２】
0003139851.tif 000004
【図３】
0003139851.tif 000005
【図４】
0003139851.tif 000006
【図５】
0003139851.tif 000007